(57)【要約】      （修正有）【課題】大地震などの災害発生時において、避難者が、必要なものを携帯して自宅等から避難先へ避難するのに適した災害用多機能コートであって、避難先での生活において着替えや睡眠等に使用するのに適した災害用多機能コートを提供する。非避難時において、日常的に防災意識を高めるのに適した災害用多機能コートを提供する。【解決手段】衿部１６にフードを取り外し可能に取り付けたコート本体２と、当該コート本体の裾部１７の表地あるいは裏地に、基端が縫着されている寝袋部材４と、コート本体の前後身頃及び裏身頃あるいは袖に設けられている所定数のポケットとを備えるコートであって、寝袋部材は、裾部に設けられた第一の留め具を介して、表地と裏地との間に形成される袋部材収納部に収納され、フードの衿部の外側に設けられた第二の留め具を介して、フードの衿部の内側に形成されるポンチョ収納部にポンチョが収納されている防災用多機能コート。【選択図】図３
2014129615.tif 000002
【特許請求の範囲】
【請求項１】
襟部にフードを取り外し可能に取り付けたコート本体と、
前記コート本体の裾部の表地あるいは裏地に、基端が縫着されている寝袋部材と、
前記コート本体の前後身頃及び裏身頃あるいは袖に設けられている所定数のポケットとを備えるコートであって、
前記寝袋部材は、前記表地と裏地との間に形成される寝袋部材収納部に収納され、
前記裾部に設けられた第一の留め具によって、前記寝袋部材収納部が閉塞され、
前記第一の留め具による前記寝袋部材収納部の閉塞状態を開放し、前記寝袋部材が前記寝袋部材収納部から裾方向へ展開され、
前記フードの襟部の内側に形成されるポンチョ収納部にポンチョが収納され、
前記フードの襟部の外側に設けられた第二の留め具によって、前記ポンチョ収納部が閉塞され、
前記第二の留め具による前記ポンチョ収納部の閉塞状態を開放し、前記ポンチョが前記ポンチョ収納部から前記コート本体を覆うように展開される
ことを特徴とする防災用多機能コート。
【請求項２】
襟部にフードを取り外し可能に取り付けたコート本体と、
前記コート本体の裾部に連続して裾方向に延びる裾部材と、
前記コート本体の前後身頃及び裏身頃あるいは袖に設けられている所定数のポケットとを備えるコートであって、
前記裾部材は、前記裾部を折り返し点として前記コート本体の内側に折畳まれ、
前記コート本体の裏地に設けられた第三の留め具により、前記裾部材が前記コート本体の内側に固定され、
前記第三の留め具による前記裾部材の固定状態を解除し、前記裾部材が前記コート本体の内側から裾方向へ、脚部を覆うように展開され、
前記フードの襟部の内側に形成されるポンチョ収納部にポンチョが収納され、
前記フードの襟部の外側に設けられた第二の留め具によって、前記ポンチョ収納部が閉塞され、
前記第二の留め具による前記ポンチョ収納部の閉塞状態を開放し、前記ポンチョが前記ポンチョ収納部から前記コート本体を覆うように展開される
ことを特徴とする防災用多機能コート。
【請求項３】
前記コート本体の袖に発光部材を取り外し自在に取り付けたことを特徴とする請求項１又は２記載の防災用多機能コート。
【発明の詳細な説明】
【技術分野】
【０００１】
この発明は、大地震などの災害が発生した際に自宅等から避難先へ避難する、あるいは避難先での生活に使用するのに適した災害用多機能コートに関する。
【背景技術】
【０００２】
大地震などの災害が発生し、自宅などの現在地から避難先へと避難する際、避難先の多くは着の身着のままで避難せざるを得ない状況が多く、突然起こる災害に対して十分な対策を取ることができない。また、避難先で支給される毛布、日用品等だけでは避難生活において不安を覚えざるを得ない。
【０００３】
このような背景の中、いわゆる防災グッズなる防災関連商品が注目を浴びるようになり、いつ災害が発生しても対応できるよう様々な種類の防災関連商品が知られるようになった。
【０００４】
例えば、下記特許文献１、２では、寝袋機能を有するコートや、手軽な搬送形態に変形できるコートについて提案がなされている。
【先行技術文献】
【特許文献】
【０００５】
【特許文献１】特開平８−２９６１０４号公報
【特許文献２】特開２００１−２７９５０６号公報
【発明の概要】
【発明が解決しようとする課題】
【０００６】
上述した機能性のある提案は、避難先での避難生活に貢献し得るものであるが、そもそも、日頃から防災意識の高い者は、いつ災害が発生しても対応できるように、普段から必要な物を取捨選択し、準備をしているので、これらの者にとっては、上述した提案やその他の防災関連商品では十分な防災準備ができない。
【０００７】
したがって、普段から防災意識を高めつつ、災害発生時には、避難者にとってより機能性のある提案が望まれている。
【０００８】
そこで、この発明は、大地震などの災害発生時において、避難者が、避難者にとって必要なものを携帯して自宅等から避難先へ避難するのに適した災害用多機能コートを提供することを目的としている。
【０００９】
また、避難先での生活において、着替えや睡眠等に使用するのに適した災害用多機能コートを提供することを目的としている。
【００１０】
さらに、非避難時あるいは非着衣時において、日常的に防災意識を高めるのに適した災害用多機能コートを提供することを目的としている。
【課題を解決するための手段】
【００１１】
上記課題を解決するため、以下の発明を提案する。
【００１２】
請求項１の発明は、・・・
（特許請求の範囲を写す）
【発明の効果】
【００１３】
この発明によれば、大地震などの災害発生時において、避難者が、避難者にとって必要なものを携帯して自宅等から避難先へ避難するのに適した災害用多機能コートを提供することができる。
【００１４】
また、避難先での生活において、着替えや睡眠等に使用するのに適した災害用多機能コートを提供することができる。
【００１５】
さらに、非避難時あるいは非着衣時において、日常的に防災意識を高めるのに適した災害用多機能コートを提供することができる。
【図面の簡単な説明】
【００１６】
【図１】本発明の一実施形態の表地を表した図であって、（ａ）正面図、（ｂ）背面図。
【図２】図１図示の実施形態のうち、裏地を表した図であって、（ａ）正面図、（ｂ）背面図。
【図３】図１図示の状態から裾部に寝袋部材を展開させ、寝袋としての使用状態を表した図であって（ａ）正面図、（ｂ）背面図。
【図４】図３図示のうち、裏地を表した図であって、（ａ）正面図、（ｂ）背面図。
【図５】本発明の実施形態に使用されるフード付きポンチョを表した図であって、（ａ）正面図、（ｂ）背面図。
【図６】本発明の他の実施形態を表した図であって、（ａ）正面図、（ｂ）背面図。
【図７】図１図示の実施形態において、フード付きポンチョを展開した状態を表した図であって、（ａ）正面図、（ｂ）背面図。
【図８】（ａ）図１、図２図示の状態において、裾部１７を拡大した一部省略図、（ｂ）図５図示のフード付きポンチョのうち、フードの衿部の外側を拡大した一部省略図。
【発明を実施するための形態】
【００１７】
以下、添付図面を参照して、本発明の実施形態を説明する。本発明の災害用多機能コートは、コート本体と、当該コート本体の衿部に取り付けられるフードと、前記コート本体の裾部に設けられた寝袋としての機能を有する寝袋部材と、前記コート本体の所定位置に形成されている所定数のポケットとを備えている。
【００１８】
図１乃至図５、図７、図８は、本発明の実施形態の一例で、図１は本発明の災害用多機能コート１ａの表地を表したものである。
【００１９】
この災害用多機能コート１ａにおいて、コート本体２の左前身頃の所定位置に、ポケット３ａ、３ｂ、３ｃ、３ｄ、３ｅ、３ｆ、３ｇが取り付けられている。同様に、コート本体２の右前身頃の所定位置に、ポケット３ｈ、３ｉ、３ｊ、３ｋ、３ｍが取り付けられている（図１（ａ））。さらにコート本体２の後身頃の所定位置に、ポケット３ｎ、３ｐ、３ｑが取り付けられている（図１（ｂ））。
【００２０】
また、衿部１６には、後述するフード９を着脱可能に取り付けるための着脱部材が備えられている。
【００２１】
コート本体２の表地２ａ及びポケット３ａ、３ｂ・・・３ｍ（以下「表地のポケット３」ということがある）の素材には、ガラス繊維やセラミック繊維などの不燃繊維や、アラミド繊維、フッ素系繊維などの防炎繊維を採用しており、難燃、防炎仕様としている。また、表地２ａ及び表地のポケット３全体に防水処理を施し、防水仕様としている。さらに、コートが本来有する防寒機能も備えている。なお、難燃、防炎仕様は、適宜選択して使用できる。
【００２２】
続いて、図２は、災害用多機能コート１ａの裏地２ｂを表した図である。裏地２の左前身頃の所定位置に、ポケット３ｒが取り付けられている。同様に、裏地２の右前身頃の所定位置に、ポケット３ｓ、３ｔ、３ｕが取り付けられている（図２（ａ））。
【００２３】
また、裾部１７には、後述する寝袋部材４をコート本体２の内側に収納するための第一の留め具５が備えられている。
【００２４】
コート本体２の裏地２ｂ及びポケット３ｒ・・・３ｕ（以下「裏地のポケット３」ということがある）の素材には、ガラス繊維やセラミック繊維などの不燃繊維や、アラミド繊維、フッ素系繊維などの防炎繊維を採用しており、難燃、防炎仕様としている。また、コートが本来有する防寒機能も備えている。なお、難燃、防炎仕様は、表地２ａと同様に適宜選択して使用できる。
【００２５】
図１、図２に図示したように、本実施形態の災害用多機能コート１ａには、表地のポケット３及び裏地のポケット３が備えられているので、使用者は災害に備えて、予め災害時に必要な物を選択して表地のポケット３及び裏地のポケット３に収納することができる。
【００２６】
例えば、災害時に必要な物として、常備薬もしくは財布などの貴重品をポケット３ａ、３ｂ・・・３ｍの何れかに収納し、タオル類をポケット３ｎに収納し、もしくは下着類などの着替えをポケット３ｒに収納するなど、前記災害時に必要な物の大きさに応じて、どのポケットに収納するかを使用者が選択することができるので、災害に備えて使用者が、使用者にとって必要な物を日常的に準備することができる。
【００２７】
前記災害時に必要な物として、常備薬、財布、タオル類、下着類などの着替えを例示したが、その他、現金、公衆電話用の小銭、メモ帳、ボールペン、油性マジック、セロテープ（登録商標）、ガムテープ、靴下、生理用品、バンダナ、輪ゴム、安全ピン、携帯電話及び充電器、ホイッスル、補聴器と乾電池、飲料水、ビニールチャック付きの袋に入れたあめ、氷ざとう、ガム、軍手、手袋、スリッパ、靴、懐中電灯、携帯ラジオ、予備の眼鏡及びコンタクトレンズ、車や家のスペアキー、毛抜き、救急用具（消毒薬、マスク、三角巾、絆創膏等）、水に流せるティッシュペーパー、ウェットティッシュ、折りたたみコップ、歯ブラシ、ペーパー歯磨き、糸ようじ、石鹸、ドライシャンプー、使い捨て懐炉、使い捨て熱さまし、身分証明書の控（預金通帳、健康保険証、高齢者手帳、運転免許証、パスポート、生命保険、傷害保険、地震保険、外国人登録証等）など（以下「避難時の必需品」という）、使用者にとって特に必要と考える物を選択して表地のポケット３及び裏地のポケット３に収納することができる。
【００２８】
このように、表地のポケット３及び裏地のポケット３を備えた災害用多機能コート１ａによって、大地震などの災害が実際に発生した場合でも、避難者は、災害用多機能コート１ａを着用するだけで、前記避難時の必需品を携帯して自宅等から避難先へ避難することができる。
【００２９】
また、この災害用多機能コート１ａを保管する際、例えばハンガーに掛けて使用者の目の届く場所へ保管しておけば、使用者は常日頃、災害用多機能コート１ａに接することになり、必要であれば表地のポケット３及び裏地のポケット３に収納する前記避難時の必需品を交換し、また補充することができるので、日常的に防災意識をより高めることができる。
【００３０】
なお、表地のポケット３及び裏地のポケット３の他、両袖にもポケットを備えていてもよい。
【００３１】
次に、図３、図４及び図８（ａ）は、災害用多機能コート１ａの裾部１７に備えられている寝袋機能を有する寝袋部材４の使用状態を表す図である。
【００３２】
寝袋部材４は、その基端が裾部１７の表地２ａの裏側あるいは裏地２ｂの裏側に縫着されていて（図８（ａ））、災害用多機能コート１ａの保管時には、寝袋部材４をロール状に折畳み、裾部１７の表地２ａと裏地２ｂとの間に形成される寝袋部材収納部１８に収納して、表地２ａ及び裏地２ａの裾部１７側に設けられているスライドファスナなどの第一の留め具５によって、寝袋部材収納部１８を閉塞する。
【００３３】
したがって、寝袋素材４の長さは、使用者の伸ばした足のつま先を覆うのに十分な長さとすることができる。
【００３４】
災害が発生した場合に、避難先にて災害用多機能コート１ａを寝袋として使用する場合、第一の留め具５によって、寝袋部材収納部１８を開け、寝袋部材収納部１８から寝袋部材４を取り出して展開する（図３、図４）。そして、寝袋部材４の右前部４ａと左前部４ｂとを、面ファスナーなどの着脱部材７の系着により固定する。そして、寝袋部材４の先端の開口している部分は、寝袋部材４の先端周縁に挿通されている紐部材６を引きながら前記先端の開口している部分を閉口する。
【００３５】
なお、裾部１７に備える寝袋部材４の代わりに、図６に図示した裾部材１５を使用してもよい。裾部材１５を備えた災害用多機能コート１ｂは、裾部材１５が寝袋部材４と異なるだけであり、災害用多機能コート１ａと共通する部材については同じ符号を付し、その説明を省略する。
【００３６】
裾部材１５の素材は、表地２ａと同じ素材を共布として使用し、裾部１７を折り返し位置として災害用多機能コート１ｂの内側へ折畳むことができる。そして、裏地２ｂの腰部（例えば、裾部１７から４０ｃｍ程上方の位置）に備えられているオープンファスナなどの留め具（非図示）で、折畳んだ裾部材１５の先端を止着する。
【００３７】
災害用多機能コート１ｂを寝袋として使用する場合、前記オープンファスナなどの留め具を取り外し、折畳んだ裾部材１５を裾方向に展開し、裾部材の右前部と左前部とを、面ファスナー、スナップボタンなどの着脱部材（非図示）の系着により固定する。また、裾の部分もスナップボタンなどの着脱部材（非図示）の系着により固定する。こうすることで、使用者の脚部全体を覆うことができる。この点において、災害用多機能コート１ａに用いている寝袋部材４の収納機構よりも簡易である。
【００３８】
次に、図５、図８ｂは、本発明の災害用多機能コート１ａに使用されるフード付きポンチョ８を表した図である。フード付きポンチョ８のポンチョ本体１３は、災害が発生した場合の避難先での生活において、災害用多機能コート１ａを着用したまま着替えを行う、あるいはトイレ使用時に体全体を隠すためのものである。
【００３９】
また、ポンチョ本体１３には防水性のある素材を使用しており、雨天時にも雨具としての役割も果たすことができる。
【００４０】
フード９は、防災頭巾のように、落下物から頭部を守るためのものであり、軽くて強靭なウレタン素材を使用している。
【００４１】
また、フード９は、衿部周囲に取り付けられているスナップファスナの咬合子１１と、災害用多機能コート１ａの衿部１６周囲に取り付けられているスナップファスナの咬合子１０との咬合わせにより着脱可能となっている。
【００４２】
ポンチョ本体１３は、その衿端がフード９の衿部の表地の裏側に縫着されていて、災害用多機能コート１ａの保管時には、ポンチョ本体１３を適度な大きさに折畳み、フード９の衿部の内側に形成されているポンチョ本体収納部１９に収納して（図８（ｂ））、フード９の衿部の外側に設けられているスライドファスナなどの第二の留め具１２によって、ポンチョ本体収納部１９を閉塞する。
【００４３】
災害が発生した場合に、避難先にて災害用多機能コート１ａを着用したまま着替えを行う、あるいはトイレ使用時に体全体を隠すために使用する場合、第二の留め具１２によって、ポンチョ本体収納部１９を開け、ポンチョ本体収納部１９からポンチョ本体１３を取り出して展開する（図７）。そして、ポンチョ本体１３の右前部１３ａと左前部１３ｂとを、面ファスナーなどの着脱部材７の系着により固定する。これによって、上半身をポンチョ本体１３で覆うこととなると共に、災害用多機能コート１ａの裾部分で下半身を覆うことになるので（図７）、災害用多機能コート１ａを着用したまま着替えを行う、あるいはトイレ使用時に体全体を隠すことができる。
【００４４】
また、ポンチョ本体１３の右前部１３ａと左前部１３ｂにはそれぞれ袖口１４、１４が設けられているので、ポンチョ本体１３を展開した状態でも両袖口１４に両腕を通し、その他の作業を行うことができる。
【００４５】
このように、災害用多機能コート１ａの衿部１０にフード付きポンチョ８を取り付け、裾部１７に寝袋部材４を取り付けた災害用多機能コート１ａによって、災害発生時における避難先での生活において、災害用多機能コート１ａを着用したまま、睡眠をとる、あるいは着替えを行う、もしくはトイレ使用時に体全体を隠すことができる。
【００４６】
なお、災害が実際に発生した場合、電気、水道などのインフラ設備が遮断されることは十分想定される。その場合、夜間の災害現場あるいは避難先では、電力の供給を受けられない暗い環境下での生活を強いられるおそれがある。その場合、夜間における災害用多機能コート１ａを着用している者であるとの視認性を確保するため、災害用多機能コート１ａの袖に発光性のストラップを取り付けてもよい。この場合において、当該ストラップの電源は乾電池となるが、災害用多機能コート１ａには、上述した表地のポケット３及び裏地のポケット３を備えており、予備の乾電池を収納しておくことができるので、夜間での長時間にわたる前記ストラップの使用に対応することができる。
【００４７】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００４８】
１ａ、１ｂ  災害用多機能コート
２  コート本体
２ａ  表地
２ｂ  裏地
３ａ、３ｂ、・・・３ｕ  ポケット
４  寝袋部材
５  第一の留め具
６  紐部材
７  着脱部材
８  フード付きポンチョ
９  フード
１０、１１  咬合子
１２  第二の留め具
１３  ポンチョ本体
１４  袖口
１５  裾部材
１６  衿部
１７  裾部
１８  寝袋部材収納部
１９  ポンチョ収納部
【図１】
2014129615.tif 000003
【図２】
2014129615.tif 000004
【図３】
2014129615.tif 000005
【図４】
2014129615.tif 000006
【図５】
2014129615.tif 000007
【図６】
2014129615.tif 000008
【図７】
2014129615.tif 000009
【図８】
2014129615.tif 000010